(57)【要約】【課題】ディップスイッチ操作時の作業性を悪化させることなく、静電気をアースして空気調和機の電子部品を保護することができる静電気回避構造を提供する。【解決手段】空気調和機の筐体２に形成されている開口２１を通して操作されるディップスイッチ３１，３１，…、及びＩＣ３０等を静電気から保護すべく、開口２１を狭めるように導電性フォーム４１１，４１２が配されており、作業者は、狭められた開口２１を通してディップスイッチ３１，３１，…を視認し、操作する。ディップスイッチ３１，３１，…、ＩＣ３０等が実装されている制御基板３を筐体２内で固定するための固定部材５１１，５１２は導電性を有し、しかも接地端子に電気的に接続されており、導電性フォーム４１１，４１２は固定部材５１１，５１２に電気的に接続されているため、導電性フォーム４１１，４１２に近接した帯電体からの静電気がアースされる。【選択図】図２
2008145086.tif 000002
【特許請求の範囲】
【請求項１】
空気調和機の筐体に収容されているプリント基板に実装されており、前記筐体に形成されている開口を通して操作されるディップスイッチを含む電子部品を、静電気から保護するための静電気回避構造であって、
接地端子に接続されている導電性弾性体が、前記開口を狭めるように配されており、
前記導電性弾性体によって狭められた前記開口を通して、前記ディップスイッチが視認可能にしてあることを特徴とする静電気回避構造。
【請求項２】
前記接地端子に接続されており、前記筐体の内部で固定されている導電性固定部材を備え、
前記導電性弾性体は導電性発泡体であって、前記導電性固定部材に接触するようにしてあり、
前記筐体は、前記空気調和機を操作するための操作パネルを有し、
前記プリント基板は、前記ディップスイッチが配されている面が前記操作パネルの内側に対面した状態で前記導電性固定部材に固定されていることを特徴とする請求項１に記載の静電気回避構造。
【請求項３】
前記導電性発泡体は、導電性を有する接着剤又は接着テープを介して前記導電性固定部材に接着されていることを特徴とする請求項２に記載の静電気回避構造。
【請求項４】
前記導電性発泡体は、前記導電性固定部材にネジ留めされていることを特徴とする請求項２に記載の静電気回避構造。
【請求項５】
前記導電性発泡体は、前記導電性固定部材と、該導電性固定部材に固定されている導電性固定補助部材又は非導電性固定補助部材とに挟持されていることを特徴とする請求項２に記載の静電気回避構造。
【請求項６】
前記導電性発泡体は、前記導電性固定部材と、前記操作パネルの内面及び前記導電性発泡体の間で圧縮させられている弾性部材とに挟持されていることを特徴とする請求項２に記載の静電気回避構造。
【請求項７】
前記導電性発泡体は、前記導電性固定部材と、前記操作パネルの内面とに挟持されていることを特徴とする請求項２に記載の静電気回避構造。
【請求項８】
前記導電性発泡体は、導電性を有し、前記導電性固定部材に一体に形成されている挟持部に挟持されていることを特徴とする請求項２に記載の静電気回避構造。
【請求項９】
前記導電性発泡体及び前記導電性固定部材の少なくとも一方に凹部を設け、
前記導電性発泡体の凹部（又は前記導電性固定部材の凹部）の内面と、前記導電性固定部材（又は前記導電性発泡体）とが接合されていることを特徴とする請求項２に記載の静電気回避構造。
【請求項１０】
前記導電性発泡体は、一面から該一面の反対面に貫通した複数の切り欠き状部分又は孔が形成されている板状をなし、前記反対面が前記導電性固定部材に接触した状態で、少なくとも前記一面の側と、前記切り欠き状部分又は孔を介して露出する前記導電性固定部材とに連続して、接着テープが接着されていることを特徴とする請求項２に記載の静電気回避構造。
【発明の詳細な説明】
【技術分野】
【０００１】
本発明は、空気調和機のプリント基板に配されているディップスイッチを含む電子部品を、静電気から保護するための静電気回避構造に関する。
【背景技術】
【０００２】
近年、高速化、低消費電力化が進んでいるＩＣ（半導体集積回路）は、静電気の悪影響を受けて誤作動し、又は破壊されることがある。このような静電気被害を防止するために、従来、ＩＣ毎にバイパスコンデンサを設けたり、ＩＣを含む制御基板を金属筐体で囲ったりすることが行われている。
ところで、空気調和機の制御基板上には、動作設定変更用のディップスイッチが設けられている。空気調和機の設定作業者、使用者等（以下、作業者という）は、設定サービス時、メンテナンス時等に、空気調和機の筐体の開口からディップスイッチを視認し、また、この開口を通して手動でディップスイッチを操作する。
【０００３】
ディップスイッチを操作するためには、ディップスイッチを含む制御基板を金属筐体で囲うことはできない。また、制御基板に対する電子部品実装時、検査時、修理時等には、制御基板は金属筐体で囲われていない。
更に、帯電体（例えば人体）からの静電気が電子部品の端子へ直接放電される場合には、バイパスコンデンサで電子部品を静電気から保護することはできない。
【０００４】
以上のようなことから、例えば空気調和機の製造時等には、作業者が、接地されている導電マット上で作業するか、アースバンドを手に巻いて作業する等して、静電気から電子部品を保護している。
ところが、例えば工場出荷後の設定サービス時、メンテナンス時等には、静電気対策用の導電マット、アースバンド等が準備できないことがあり、静電気から電子部品を保護しつつ作業することが困難である。
【０００５】
導電マット、アースバンド等が準備できないときのために、従来、接地された導体を制御基板の側部に配しておき、作業者がこの導体部分に指を置いて制御基板を持つことによって、作業者が有する静電気をアースする方法が提案されている（特許文献１参照）。
【特許文献１】特開平５−６３３８８号公報
【発明の開示】
【発明が解決しようとする課題】
【０００６】
しかしながら、ディップスイッチを操作する場合は、作業者が制御基板を持たずに作業するため、特許文献１に開示されているような制御基板の側部に設けられている接地導体では、作業者の静電気をアースすることはできない。
【０００７】
また、ディップスイッチを操作する場合以外でも、例えば空気調和機の清掃時に、空気調和機の筐体開口から帯電体（具体的には帯電した雑巾、はたき等の清掃用具）が侵入することがあり、このような場合は、導電マット、アースバンド、制御基板側部の接地導体等で、帯電体からの静電気をアースすることが困難である。
空気調和機の筐体開口に対する帯電体の不要な進入を抑制するために、空気調和機の筐体開口を覆う、又は開口の寸法を小さくする等することが考えられるが、この場合、作業者が筐体開口を通してディップスイッチを視認し、また操作することが煩雑又は困難になる。
【０００８】
本発明は斯かる事情に鑑みてなされたものであり、その主たる目的は、空気調和機の筐体の開口を通してディップスイッチが視認可能なように、接地端子に接続されている導電性弾性体で筐体の開口を狭める構成とすることにより、ディップスイッチ操作時の作業性を悪化させることなく、静電気をアースして電子部品を保護することができる静電気回避構造を提供することにある。
【０００９】
本発明の他の目的は、空気調和機のプリント基板が固定されている導電性固定部材を接地して、この導電性固定部材に導電性発泡体を接触させる構成とすることにより、更に確実に静電気をアースすることができ、しかも、導電性発泡体を簡易に接地することができる静電気回避構造を提供することにある。
【００１０】
本発明の他の目的は、導電性を有する接着剤又は接着テープを介して導電性発泡体を導電性固定部材に接着する構成とすることにより、導電性発泡体と導電性固定部材とを確実に接続することができる静電気回避構造を提供することにある。
【００１１】
本発明の他の目的は、導電性発泡体を導電性固定部材にネジ留めする構成とすることにより、導電性発泡体と導電性固定部材とを確実に接続することができる静電気回避構造を提供することにある。
【００１２】
本発明の他の目的は、導電性発泡体を導電性固定部材と他の部材とで挟持する構成とすることにより、導電性発泡体と導電性固定部材とを確実に接続することができる静電気回避構造を提供することにある。
【００１３】
本発明の他の目的は、導電性発泡体を導電性固定部材と弾性部材とで挟持する構成とすることにより、導電性発泡体と導電性固定部材とを確実に接続することができる静電気回避構造を提供することにある。
【００１４】
本発明の他の目的は、導電性発泡体を導電性固定部材と操作パネルとで挟持する構成とすることにより、導電性発泡体と導電性固定部材とを確実に接続することができる静電気回避構造を提供することにある。
【００１５】
本発明の他の目的は、導電性発泡体を導電性固定部材に一体に形成されている挟持部で挟持する構成とすることにより、導電性発泡体と導電性固定部材とを確実に接続することができる静電気回避構造を提供することにある。
【００１６】
本発明の他の目的は、導電性発泡体の凹部（又は導電性固定部材の凹部）の内面と、導電性固定部材（又は導電性発泡体）とを接合する構成とすることにより、導電性発泡体と導電性固定部材とを確実に接続することができる静電気回避構造を提供することにある。
【００１７】
本発明の更に他の目的は、導電性発泡体と、導電性発泡体に形成されている切り欠き状部分又は孔を介して露出する導電性固定部材とに連続して接着テープを接着する構成とすることにより、導電性発泡体と導電性固定部材とを確実に接続することができる静電気回避構造を提供することにある。
【課題を解決するための手段】
【００１８】
本発明に係る静電気回避構造は、空気調和機の筐体に収容されているプリント基板に実装されており、前記筐体に形成されている開口を通して操作されるディップスイッチを含む電子部品を、静電気から保護するための静電気回避構造であって、接地端子に接続されている導電性弾性体が、前記開口を狭めるように配されており、前記導電性弾性体によって狭められた前記開口を通して、前記ディップスイッチが視認可能にしてあることを特徴とする。
【００１９】
本発明に係る静電気回避構造は、前記接地端子に接続されており、前記筐体の内部で固定されている導電性固定部材を備え、前記導電性弾性体は導電性発泡体であって、前記導電性固定部材に接触するようにしてあり、前記筐体は、前記空気調和機を操作するための操作パネルを有し、前記プリント基板は、前記ディップスイッチが配されている面が前記操作パネルの内側に対面した状態で前記導電性固定部材に固定されていることを特徴とする。
【００２０】
本発明に係る静電気回避構造は、前記導電性発泡体は、導電性を有する接着剤又は接着テープを介して前記導電性固定部材に接着されていることを特徴とする。
【００２１】
本発明に係る静電気回避構造は、前記導電性発泡体は、前記導電性固定部材にネジ留めされていることを特徴とする。
【００２２】
本発明に係る静電気回避構造は、前記導電性発泡体は、前記導電性固定部材と、該導電性固定部材に固定されている導電性固定補助部材又は非導電性固定補助部材とに挟持されていることを特徴とする。
【００２３】
本発明に係る静電気回避構造は、前記導電性発泡体は、前記導電性固定部材と、前記操作パネルの内面及び前記導電性発泡体の間で圧縮させられている弾性部材とに挟持されていることを特徴とする。
【００２４】
本発明に係る静電気回避構造は、前記導電性発泡体は、前記導電性固定部材と、前記操作パネルの内面とに挟持されていることを特徴とする。
【００２５】
本発明に係る静電気回避構造は、前記導電性発泡体は、導電性を有し、前記導電性固定部材に一体に形成されている挟持部に挟持されていることを特徴とする。
【００２６】
本発明に係る静電気回避構造は、前記導電性発泡体及び前記導電性固定部材の少なくとも一方に凹部を設け、前記導電性発泡体の凹部（又は前記導電性固定部材の凹部）の内面と、前記導電性固定部材（又は前記導電性発泡体）とが接合されていることを特徴とする。
【００２７】
本発明に係る静電気回避構造は、前記導電性発泡体は、一面から該一面の反対面に貫通した複数の切り欠き状部分又は孔が形成されている板状をなし、前記反対面が前記導電性固定部材に接触した状態で、少なくとも前記一面の側と、前記切り欠き状部分又は孔を介して露出する前記導電性固定部材とに連続して、接着テープが接着されていることを特徴とする。
【００２８】
本発明にあっては、接地端子に接続されている導電性弾性体が、空気調和機の筐体に形成されている開口を狭めるように配されている。
作業者は、導電性弾性体によって狭められた開口を通してディップスイッチを操作する。このとき、開口へ挿入した作業者の手、又は作業用具等の帯電体が導電性弾性体に接触又は接近（以下、近接という）して、帯電体の静電気が導電性弾性体に対して放電され、アースされる。
また、不要に開口へ侵入した清掃用具のような帯電体も、導電性弾性体に近接するため、帯電体の静電気がアースされる。
【００２９】
以上のようにして、帯電体がディップスイッチ、電子部品、プリント基板等に近接する前に、帯電体の静電気がアースされるため、プリント基板に実装されているディップスイッチを含む電子部品が、静電気から保護される。
ここで、ディップスイッチは、導電性弾性体によって狭められた開口を通して視認可能である。つまり、導電性弾性体によって狭められた開口には十分な空間が設けられている。しかも、導電性弾性体は弾力に富み、作業者の手、又は作業用具等の物体との当接によって圧縮され、体積を減じる。以上のことから、導電性弾性体が作業者の作業を阻害することはない。
【００３０】
本発明にあっては、導電性弾性体である導電性発泡体が導電性固定部材に接触しており、導電性固定部材が接地端子に接続されている。即ち、導電性発泡体は導電性固定部材を介して接地端子に接続されている。
また、筐体が、空気調和機を操作するための操作パネルを有し、この操作パネルの内側と、プリント基板のディップスイッチが配されている面とが対面した状態で、プリント基板が導電性固定部材に固定されており、更に導電性固定部材は、筐体の内部で固定されている。
【００３１】
つまり、筐体の開口を狭めるように配されている導電性発泡体は、開口周縁部、開口内面等から筐体内部の導電性固定部材まで架け渡される。この結果、開口に挿入された帯電体が、導電性発泡体に近接し易くなる。
また、筐体の内部でプリント基板を固定するための従来から空気調和機に備えられている部材を、導電性を有する材料で形成し、且つ接地端子に接続することによって、導電性固定部材として用いることが可能になる。この結果、導電性発泡体を接地するために、空気調和機の構成を大幅に変更する必要がない。
【００３２】
なお、筐体と導電性発泡体とは電気的に接続する必要がないため、筐体の開口に配されている導電性発泡体は、一般的な両面接着テープ、接着剤、ネジ、クリップ等を用いて、筐体に固定すればよい。
【００３３】
本発明にあっては、導電性発泡体を導電性固定部材に接触させるために、導電性を有する接着剤又は接着テープを介して導電性発泡体を導電性固定部材に接着する。
この場合、導電性発泡体と導電性固定部材とが接着剤、両面接着テープ等で接着され、しかも導電性発泡体と導電性固定部材との間に介在する接着剤、両面接着テープ等が導電性を有するため、導電性発泡体と導電性固定部材とが電気的に確実に接続される。
【００３４】
本発明にあっては、導電性発泡体を導電性固定部材に接触させるために、例えばボルトを用いて、導電性発泡体を導電性固定部材にネジ留めする。
この場合、導電性固定部材と例えばネジ頭との間で導電性発泡体が挟まれて、導電性発泡体が導電性固定部材に押し付けられるため、導電性発泡体と導電性固定部材とが電気的に確実に接続される。
【００３５】
本発明にあっては、導電性発泡体を導電性固定部材に接触させるために、導電性発泡体を導電性固定部材と導電性固定補助部材又は非導電性固定補助部材とで挟持する。
この場合、導電性固定部材に固定されている導電性固定補助部材又は非導電性固定補助部材によって、導電性発泡体が導電性固定部材に押し付けられるため、導電性発泡体と導電性固定部材とが電気的に確実に接続される。
【００３６】
本発明にあっては、導電性発泡体を導電性固定部材に接触させるために、導電性発泡体を導電性固定部材と弾性部材（例えばクッション材）とで挟持する。
弾性部材は操作パネルの内面と導電性発泡体との間で圧縮させられており、圧縮させられている弾性部材の弾性復元力によって、導電性発泡体が導電性固定部材に押し付けられるため、導電性発泡体と導電性固定部材とが電気的に確実に接続される。
【００３７】
本発明にあっては、導電性発泡体を導電性固定部材に接触させるために、導電性発泡体を導電性固定部材と操作パネルの内面とで挟持する。
この場合、筐体の一部である操作パネルによって導電性発泡体が導電性固定部材に押し付けられるため、導電性発泡体と導電性固定部材とが電気的に確実に接続される。
【００３８】
本発明にあっては、導電性発泡体を導電性固定部材に接触させるために、導電性発泡体を挟持部で挟持する。
この場合、挟持部が導電性固定部材に一体に形成されており、しかも導電性を有するため、導電性発泡体と導電性固定部材とが電気的に確実に接続される。
【００３９】
本発明にあっては、導電性発泡体を導電性固定部材に接触させるために、導電性発泡体の凹部の内面と導電性固定部材との接合、及び／又は、導電性固定部材の凹部の内面と導電性発泡体との接合を行なう。
導電性発泡体（又は導電性固定部材）に設けられている凹部の周縁部は、相対的に凸状をなす。このため、導電性発泡体を撓ませて、凹部の内面を導電性固定部材（又は導電性発泡体）に強引に接合することによって、導電性発泡体（又は導電性固定部材）の凸状の部分が、導電性固定部材（又は導電性発泡体）に押し付けられる。この結果、導電性発泡体と導電性固定部材とが電気的に確実に接続される。
【００４０】
本発明にあっては、導電性発泡体を導電性固定部材に接触させるために、一面からこの一面の反対面に貫通した複数の切り欠き状部分又は孔が形成されている板状の導電性発泡体を用い、導電性発泡体の反対面を導電性固定部材に接触させた状態で、導電性発泡体の一面と、導電性発泡体に形成されている切り欠き状部分又は孔を介して露出する導電性固定部材とに連続して接着テープを接着する。
接着テープによって、導電性発泡体の複数の部分が一面側から導電性固定部材に押し付けられるため、導電性発泡体と導電性固定部材とが電気的に確実に接続される。
【発明の効果】
【００４１】
本発明の静電気回避構造による場合、空気調和機の筐体の開口に挿入された帯電体の静電気が、開口に配されている導電性弾性体に近接してアースされるため、ディップスイッチを含む電子部品を、静電気から保護することができる。
この結果、導電マット、アースバンド等の準備が不要であり、また、プリント基板本体に静電気回避用の設置導体を形成する必要がないため、設定サービス、メンテナンス等が容易であり、また、プリント基板の構成が簡易である。
【００４２】
更に、筐体の開口に導電性弾性体が配されているため、作業者が手又は作業用具等で自主的に導電性弾性体に近接することによって、容易に静電気をアースすることができる。更にまた、故意に導電性弾性体を避けない限りは、意図せず筐体の開口へ侵入した帯電体であっても導電性弾性体に近接するため、静電気をアースすることができる。
【００４３】
更にまた、ディップスイッチが開口を通して視認可能であるため、作業者は、筐体の開口が導電性弾性体によって狭められていても、ディップスイッチの設定状況を目で見て容易に確認することができる。また、導電性弾性体が容易に変形するため、開口内に作業用の空間を容易に確保することができる。
このように、筐体の開口に十分な空間が設けられているため、導電性弾性体を開口に配置しても、ディップスイッチ視認時及び操作時夫々の作業性が悪化することはない。
【００４４】
本発明の静電気回避構造による場合、筐体の開口から筐体内部の導電性固定部材まで架け渡されている導電性発泡体は、開口に挿入された帯電体に近接し易くなるため、更に確実に静電気をアースすることができる。
しかも、空気調和機の構成を大幅に変更することなく、導電性発泡体を簡易に接地することができる。
また、ディップスイッチが実装されているプリント基板の一面と操作パネルの内面とが対面しているため、ディップスイッチを操作するための開口は操作パネルの近傍に形成されることになり、作業者は、操作パネルを用いての空気調和器の操作と、ディップスイッチの設定状態の視認又は操作とを容易に行なうことができる。
【００４５】
本発明の静電気回避構造による場合、導電性を有する接着剤又は接着テープを介して導電性発泡体を導電性固定部材に接着することができるため、導電性発泡体と導電性固定部材とを簡易な構成で確実に接続することができる。
また、接着剤又は接着テープによる導電性発泡体と導電性固定部材との接着は容易であり、導電性発泡体の取り付けの作業工程が少ないため、空気調和機の生産性を向上させることができる。
【００４６】
本発明の静電気回避構造による場合、ネジ留めによって導電性発泡体を導電性固定部材に押し付けることができるため、導電性発泡体と導電性固定部材とを簡易な構成で安定的且つ確実に接続することができる。
しかも、ネジ留めのためのネジ孔を導電性発泡体及び導電性固定部材夫々に予め形成しておくことによって、導電性発泡体を取り付ける際に、導電性固定部材に対する導電性発泡体の位置決めを容易に行なうことができる。
なお、同様にして、導電性発泡体を筐体にネジ留めすることにより、筐体に対する導電性発泡体の位置決めを容易に行なうことができる。
【００４７】
本発明の静電気回避構造による場合、導電性固定部材に固定されている導電性固定補助部材又は非導電性固定補助部材が導電性発泡体を導電性固定部材との間で挟んで導電性固定部材に押し付けるため、導電性発泡体と導電性固定部材とを簡易な構成で確実に接続することができる。特に、導電性固定補助部材を用いる場合は、この導電性固定補助部材を介して導電性発泡体と導電性固定部材との接続を更に確実にすることができる。
【００４８】
なお、ネジ留めによって、導電性固定補助部材又は非導電性固定補助部材を導電性固定部材に固定することにより、導電性固定部材に対する導電性固定補助部材又は非導電性固定補助部材の位置決めを容易に行なうことができ、これらに挟持される導電性発泡体の導電性固定部材に対する位置決めも容易に行なうことができる。
また、例えば両端部が導電性固定部材に接着されている接着テープで導電性発泡体を導電性固定部材に押し付ける場合は、導電性発泡体の取り付け作業を少ない作業工程で容易に行なうことができる。
【００４９】
本発明の静電気回避構造による場合、操作パネルの内面と導電性発泡体との間に介在する弾性部材が導電性発泡体を導電性固定部材との間で挟んで導電性固定部材に押し付けるため、導電性発泡体と導電性固定部材とを簡易な構成で確実に接続することができる。
【００５０】
このような静電気回避構造を構成する場合、例えば導電性発泡体を取り付ける前に、操作パネルの内面又は導電性発泡体に弾性部材を取り付けておき、弾性部材を介して操作パネルと導電性固定部材との間で導電性発泡体を挟持するように各部材を配すればよいため、導電性発泡体を取り付ける際のネジ孔の形成、ネジ留め等の煩雑な作業が不要である。つまり導電性発泡体の取り付けの作業工程が少ないため、空気調和機の生産性を向上させることができる。
【００５１】
本発明の静電気回避構造による場合、筐体の一部である操作パネルが導電性発泡体を導電性固定部材との間で挟んで導電性固定部材に押し付けるため、導電性発泡体と導電性固定部材とを簡易な構成で確実に接続することができる。
しかも、導電性発泡体を導電性固定部材に押し付けるための部材を別途準備する必要がないため、空気調和機を安価に生産することができる。また、ネジ孔の形成、ネジ留め等の煩雑な作業が不要であり、導電性発泡体の取り付けの作業工程が少ないため、空気調和機の生産性を向上させることができる。
【００５２】
本発明の静電気回避構造による場合、導電性を有する挟持部を介して導電性発泡体を導電性固定部材に固定することができるため、導電性発泡体と導電性固定部材とを簡易な構成で確実に接続することができる。
しかも、挟持部は予め導電性固定部材に一体に形成されているため、導電性発泡体を挟持するための部材を別途準備する必要がなく、空気調和機を安価に生産することができる。また、ネジ孔の形成、ネジ留め等の煩雑な作業が不要であり、導電性発泡体の取り付けの作業工程が少ないため、空気調和機の生産性を向上させることができる。
【００５３】
本発明の静電気回避構造による場合、導電性発泡体（又は導電性固定部材）の凹部の内面と、導電性固定部材（又は導電性発泡体）とを接合して導電性発泡体を導電性固定部材に押し付けるため、導電性発泡体と導電性固定部材とを簡易な構成で確実に接続することができる。
また、凸状の部分で電気的に接続されるため、導電性発泡体（又は導電性固定部材）の凹部の内面と導電性固定部材（又は導電性発泡体）との接合は、非導電性の接着剤、両面接着テープ等を用いて、容易且つ安価に接合することができる。
更に、予め凹部を形成しておくことによって、導電性発泡体を取り付ける際の作業工程を減少させることができる。
【００５４】
本発明の静電気回避構造による場合、接着テープによって、導電性発泡体の複数の部分を導電性固定部材に押し付けるため、導電性発泡体と導電性固定部材とを簡易な構成で確実に接続することができる。
また、接着テープは導電性発泡体の一面に接着され、導電性固定部材には導電性発泡体の他面が接触するため、例えば非導電性の片面接着テープを用いて、容易且つ安価に接合することができる。
更に、予め切り欠き状部分又は孔を形成しておくことによって、導電性発泡体を取り付ける際の作業工程を減少させることができる。
【発明を実施するための最良の形態】
【００５５】
以下、本発明を、その実施の形態を示す図面に基づいて詳述する。
【００５６】
実施の形態  １．
図１は、本発明の実施の形態１に係る静電気回避構造１１を備える空気調和機Ｅの静電気回避構造１１近傍を示す正面図である。
また、図２は、静電気回避構造１１の構成を示す側面図であり、図３は、静電気回避構造１１が備える導電性フォーム（導電性弾性体，導電性発泡体）４１１と固定部材５１１との接続状態を示す側面図である。
【００５７】
図１に示すように、空気調和機（以下、エアコンという）Ｅは筐体２を備え、筐体２の正面には、作業者がエアコンＥを操作するためのダイヤル２２１、図示しないスイッチ等を有する操作パネル２２が設けてあり、筐体２の操作パネル２２の下部には、矩形状の開口２１が形成されている。更にエアコンＥは、筐体２内部に、エアコンＥの動作を制御するための制御基板３を収容しており、制御基板３は、プリント基板を用いてなる。
【００５８】
図１及び図２に示すように、制御基板３の一面には、エアコンＥの動作制御用のＩＣ３０、エアコンＥの動作設定変更用の複数のディップスイッチ３１，３１，…、図示しない抵抗器等の各種の電子部品が実装してあり、ディップスイッチ３１，３１，…のオン／オフは、図示しない配線を介してＩＣ３０に伝達されるようにしてある。
【００５９】
操作パネル２２におけるダイヤル２２１の操作結果、スイッチのオン／オフ等は、図示しない配線を介してＩＣ３０に伝達されるようにしてある。この配線の距離を最短にすべく、制御基板３は、ＩＣ３０、ディップスイッチ３１，３１，…等が配されている面が操作パネル２２の内側に対面した状態で筐体２内に配されている。更に、筐体２の開口２１を通してディップスイッチ３１，３１，…が容易に操作されるように、制御基板３は、ディップスイッチ３１，３１，…が開口２１に対向した状態で配されている。
【００６０】
以上のような状態で制御基板３を支持するために、導電性を有する金属製のアングルを用いてなる固定部材（導電性固定部材）５１１，５１２が筐体２の内部で操作パネル２２に沿って固定されており、この固定部材５１１，５１２に制御基板３が固定されている。
固定部材５１１，５１２夫々は、接地端子に電気的に接続されている。
【００６１】
制御基板３に実装されているＩＣ３０、ディップスイッチ３１，３１，…等の電子部品を静電気から保護するための静電気回避構造１１は、数ｍｍの厚みを有する矩形板状の導電性フォーム４１１，４１２を備える。導電性フォーム４１１，４１２は、電気抵抗値が通常の発泡体に比べて低く、静電気を帯びにくい特性を有する。
導電性フォーム４１１の一端部は、筐体２の開口２１の上側の内面を全面的に覆い、導電性フォーム４１２の一端部は、筐体２の開口２１の下側の内面を全面的に覆っている。
【００６２】
導電性フォーム４１１，４１２が配されているため、筐体２の開口２１は導電性フォーム４１１，４１２の厚み分だけ狭められているが、導電性フォーム４１１，４１２は薄く、しかも弾性を有しており、物体との当接によって容易に圧縮される。このため、導電性フォーム４１１，４１２は、作業者の手、又は作業用具等の開口への挿入を阻害しない。更に、導電性フォーム４１１，４１２は開口２１内面を覆い、開口２１を覆わない。以上の結果、導電性フォーム４１１，４１２によって狭められた開口２１を通して、ディップスイッチ３１，３１，…が容易に視認可能且つ操作可能である。
【００６３】
導電性フォーム４１１，４１２と筐体２の開口２１内面とは、両面接着テープ又は接着剤を用いて接着されている。この両面接着テープ又は接着剤は導電性でも非導電性でもよいが、安価な非導電性の両面接着テープ又は接着剤の方が好ましい。なお、接着テープ又は接着剤による接着に限定されず、例えばネジ留めによって導電性フォーム４１１，４１２と筐体２の開口２１内面とを接合する構成でもよい。
【００６４】
一方、導電性フォーム４１１の他端部は、筐体２内部で、図３に示すように、固定部材５１１の平板状部分の表面に、導電性を有する両面接着テープ６１を介して接着され、同様に、導電性フォーム４１２の他端部は、筐体２内部で、固定部材５１２の平板状部分の表面に、導電性を有する図示しない両面接着テープを介して接着されている。このため、導電性フォーム４１１，４１２と固定部材５１１，５１２とは電気的に確実に接続されており、この結果、導電性フォーム４１１，４１２は、固定部材５１１，５１２を介して接地端子に電気的に接続される。なお、導電性を有する両面接着テープ６１の代わりに、導電性を有する接着剤を用いてもよい。
【００６５】
ところで、両面接着テープ６１による導電性フォーム４１１と固定部材５１１との接着は容易であり、導電性フォーム４１１の取り付けの作業工程が少ないため、エアコンＥの生産性が向上する。
【００６６】
以上のような静電気回避構造１１において、作業者は、導電性フォーム４１１，４１２によって狭められた開口２１を通してディップスイッチ３１，３１，…を視認し、また、操作する。
導電性フォーム４１１，４１２が筐体２の開口２１から筐体２内部の固定部材５１１，５１２まで架け渡されているため、開口２１に挿入された物体（例えば作業者の手、作業用具、清掃用具等の帯電体）は、導電性フォーム４１１，４１２に近接する。
【００６７】
開口２１へ挿入した作業者の手又は作業用具等の帯電体が導電性フォーム４１１，４１２に近接するため、帯電体の静電気は導電性フォーム４１１，４１２に対して放電され、固定部材５１１，５１２を介してアースされる。また、不要に開口２１へ侵入した清掃用具のような帯電体も、導電性フォーム４１１，４１２に近接するため、帯電体の静電気が固定部材５１１，５１２を介してアースされる。つまり、帯電体がＩＣ３０、ディップスイッチ３１，３１，…等、制御基板３に実装された電子部品に近接する前に、帯電体の静電気がアースされる。このため、制御基板３に実装されている各種の電子部品が、静電気から保護される。
【００６８】
具体的には、ＩＥＣ規格準拠の試験機において、約１０ｋＶの静電気を有する帯電体と導電性フォーム４１１，４１２との間に約１ｍｍ以下の離隔距離がある場合でも、帯電体から導電性フォーム４１１，４１２へ静電気が放電される。
また、約１０ｋＶを下回る静電気に対しては、制御基板３自体に静電気に対する耐性があるため、静電気による電子部品の誤動作、破壊等は起こらない。
更に、約１０ｋＶを上回る静電気に対しては、帯電体と導電性フォーム４１１，４１２との間に約１ｍｍを越える離隔距離がある場合でも放電されるため、やはり問題にならない。
【００６９】
つまり、帯電体が導電性フォーム４１１，４１２に接触した場合のみならず、接近した場合であっても、帯電体の静電気は放電され、帯電体が制御基板３上に到達したときには、帯電体が有する静電気は、電子部品に影響のないレベルに低下している。
【００７０】
このような静電気回避構造１１は、従来のエアコンＥに導電性フォーム４１１，４１２を追加し、固定部材５１１，５１２を接地端子に接続することで容易に得られるため、簡易且つ安価である。
なお、導電性フォーム４１１，４１２の内、どちらか一方のみが備えられている構成でもよい。
【００７１】
実施の形態  ２．
図４は、本発明の実施の形態２に係る静電気回避構造１２の構成を示す側面図である。図５は、静電気回避構造１２近傍の構成を示す斜視図であるが、静電気回避構造１２が備える導電性フォーム４２１，４２２の図示が省かれている。
また、図６は、導電性フォーム４２１と固定部材５２１との接続状態を示す平面図であり、図７は、導電性フォーム４２１と固定部材５２１との接続状態を示す側面図である。
【００７２】
図４に示すように、本実施の形態における静電気回避構造１２は、実施の形態１の静電気回避構造１１と略同様であり、静電気回避構造１２の導電性フォーム４２１，４２２及び固定部材５２１，５２２は、実施の形態１の導電性フォーム４１１，４１２及び固定部材５１１，５１２に対応する。
ただし、実施の形態１の静電気回避構造１１においては、導電性フォーム４１１と固定部材５１１とを両面接着テープ６１で接着していたが、本実施の形態においては、図４〜図７に示すように、導電性フォーム４２１が固定部材５２１の平板状部分に、及び導電性フォーム４２２が固定部材５２２の平板状部分に、導電性を有する金属製のネジ６２，６２，…を用いて、夫々ネジ留めされている。
【００７３】
導電性フォーム４２１，４２２を固定部材５２１，５２２に取り付ける作業者は、所定の位置に予めネジ孔が夫々形成されている導電性フォーム４２１，４２２及び固定部材５２１，５２２を準備し、固定部材５２１（又は固定部材５２２）に対して導電性フォーム４２１（又は導電性フォーム４２２）を、ネジ孔を基準として位置決めし、ネジ６２，６２を用いてネジ留めを行なう。即ち、導電性フォーム４２１，４２２を取り付ける際に、固定部材５２１，５２２に対する導電性フォーム４２１，４２２の位置決めが容易である。
【００７４】
図４、図６及び図７に示すように、導電性フォーム４２１（又は導電性フォーム４２２）は、固定部材５２１（又は固定部材５２２）とネジ６２，６２夫々のネジ頭との間に挟まれて変形し（具体的には厚み方向に圧縮され）て、固定部材５２１（又は固定部材５２２）に押し付けられるため、導電性フォーム４２１，４２２と固定部材５２１，５２２とが電気的に確実且つ安定的に接続される。
【００７５】
その他、実施の形態１に対応する部分には同一符号を付してそれらの説明を省略する。
【００７６】
以上のような静電気回避構造１２においても、帯電体の静電気は導電性フォーム４２１，４２２に対して放電され、固定部材５２１，５２２を介してアースされるため、制御基板３に実装されているＩＣ３０、ディップスイッチ３１，３１，…等の電子部品が、静電気から保護される。
なお、ネジ６２，６２，…は非導電性でもよい。
【００７７】
実施の形態  ３．
図８及び図９は、本発明の実施の形態３に係る静電気回避構造が備える導電性フォーム４３と固定部材５３との接続状態を示す平面図及び側面図である。
本実施の形態における静電気回避構造は、実施の形態２の静電気回避構造１２と略同様であり、本実施の形態の導電性フォーム４３，４３及び固定部材５３，５３は、実施の形態２の導電性フォーム４２１，４２２及び固定部材５２１，５２２に対応する。
【００７８】
ただし、実施の形態２の静電気回避構造１２においては、導電性フォーム４２１，４２２と固定部材５２１，５２２とをネジ６２，６２，…で直接的にネジ留めしていたが、本実施の形態においては、導電性を有する金属製の細長矩形状の薄板を用いてなる固定補助部材（導電性固定補助部材）６３２がネジ６３１，６３１で直接的に固定部材５３の平板状部分にネジ留めされ、導電性フォーム４３は、ネジ留め固定されている固定補助部材６３２と固定部材５３とに挟持されている。
【００７９】
固定部材５３に固定補助部材６３２を取り付ける作業者は、所定の位置に予めネジ孔が夫々形成されている固定部材５３及び固定補助部材６３２を準備し、固定部材５３及び固定補助部材６３２間に導電性フォーム４３を挟んだ状態で、ネジ孔を基準として位置決めし、ネジ６３１，６３１を用いてネジ留めを行なう。即ち、固定部材５３に対する固定補助部材６３２の位置決めが容易であるため、導電性フォーム４３の位置決めも容易である。
図９に示すように、導電性フォーム４３は、固定部材５３と固定補助部材６３２との間に挟まれて変形し（具体的には厚み方向に圧縮され）て、固定部材５３に押し付けられるため、導電性フォーム４３と固定部材５３とが電気的に確実且つ安定的に接続される。
【００８０】
その他、実施の形態１，２に対応する部分には同一符号を付してそれらの説明を省略する。
【００８１】
以上のような静電気回避構造においても、帯電体の静電気は導電性フォーム４３，４３に対して放電され、固定部材５３，５３を介してアースされるため、制御基板３に実装されているＩＣ３０、ディップスイッチ３１，３１，…等の電子部品が、静電気から保護される。
なお、各導電性フォーム４３の一面と固定部材５３とが接触するため、導電性フォーム４３の他面と接触する固定補助部材６３２は非導電性（即ち非導電性固定補助部材）でもよい。しかしながら、導電性を有する固定補助部材６３２の方が、導電性フォーム４３と固定部材５３とをより確実に電気的に接続する。
【００８２】
実施の形態  ４．
図１０は、本発明の実施の形態４に係る静電気回避構造１４の構成を示す側面図である。
本実施の形態における静電気回避構造１４は、実施の形態１の静電気回避構造１１と略同様であり、静電気回避構造１４の導電性フォーム４４１，４４２及び固定部材５４１，５４２は、実施の形態１の導電性フォーム４１１，４１２及び固定部材５１１，５１２に対応する。
【００８３】
ただし、実施の形態１の静電気回避構造１１においては、導電性フォーム４１１と固定部材５１１とを両面接着テープ６１で接着していたが、本実施の形態における導電性フォーム４４１，４４２は、合成樹脂製のクッション材６４１，６４２と固定部材５４１，５４２の平板状部分とに挟持されている。
【００８４】
クッション材６４１のサイズは、操作パネル２２内面とこの内面に対向する固定部材５４１の一面との離隔距離より大きいため、操作パネル２２と固定部材５４１との間で圧縮させられている。更に詳細には、クッション材６４１は、操作パネル２２の内面と、固定部材５４１に接触している導電性フォーム４４１との間で圧縮させられている。導電性フォーム４４１は、固定部材５４１と、圧縮させられているクッション材６４１とに挟持されて変形し（具体的には厚み方向に圧縮され）て、クッション材６４１の弾性復元力によって固定部材５４１に押し付けられるため、導電性フォーム４４１と固定部材５４１とが電気的に確実に接続される。
【００８５】
同様に、クッション材６４２は、筐体２内面と固定部材５４２（更に詳細には固定部材５４２に接触している導電性フォーム４４２）との間で圧縮させられている。導電性フォーム４４２は、固定部材５４２と、圧縮させられているクッション材６４２とに挟持されて変形し（具体的には厚み方向に圧縮され）て、固定部材５４２に押し付けられるため、導電性フォーム４４２と固定部材５４２とが電気的に確実に接続される。
【００８６】
導電性フォーム４４１，４４２を固定部材５４１，５４２に取り付ける作業者は、導電性フォーム４４１，４４２の一面の所定位置にクッション材６４１，６４２を予め非導電性の接着剤で接着させておく。次いで作業者は、この一面と操作パネル２２内面及び筐体２内面を対向させ、更に、導電性フォーム４４１，４４２の他面を固定部材５４１，５４２に接触させた状態で、クッション材６４１，６４２を押し潰しつつ、固定部材５４１，５４２を筐体２内部で固定する。
ここで、導電性フォーム４４１，４４２の一面と接触するクッション材６４１及び接着剤は導電性を有する必要がない。何故ならば、導電性フォーム４４１，４４２の他面と固定部材５４１，５４２とが接触するためである。
【００８７】
このように、導電性フォーム４４１，４４２を取り付ける際に、導電性を有する両面接着テープ、ネジ、固定補助部材等が不要であるため、導電性フォーム４４１，４４２の取り付けが容易且つ安価である。
その他、実施の形態１〜３に対応する部分には同一符号を付してそれらの説明を省略する。
【００８８】
以上のような静電気回避構造１４においても、帯電体の静電気は導電性フォーム４４１，４４２に対して放電され、固定部材５４１，５４２を介してアースされるため、制御基板３に実装されているＩＣ３０、ディップスイッチ３１，３１，…等の電子部品が、静電気から保護される。
【００８９】
実施の形態  ５．
図１１は、本発明の実施の形態５に係る静電気回避構造１５の構成を示す側面図である。
本実施の形態における静電気回避構造１５は、実施の形態１の静電気回避構造１１と略同様であり、静電気回避構造１５の導電性フォーム４５，４１２及び固定部材５５，５１２は、実施の形態１の導電性フォーム４１１，４１２及び固定部材５１１，５１２に対応する。
【００９０】
ただし、実施の形態１の静電気回避構造１１においては、導電性フォーム４１１と固定部材５１１とを両面接着テープ６１で接着していたが、本実施の形態における導電性フォーム４５は、操作パネル２２内面と固定部材５５の平板状部分とに挟持されている。
導電性フォーム４５は、固定部材５５と操作パネル２２との間に挟まれて変形し（具体的には厚み方向に圧縮され）て、固定部材５５に押し付けられるため、導電性フォーム４５と固定部材５５とが電気的に確実に接続される。
【００９１】
導電性フォーム４５を固定部材５５に取り付ける作業者は、導電性フォーム４５の一面と操作パネル２２内面を対向させ、更に、導電性フォーム４５の他面を固定部材５５に接触させた状態で、固定部材５５を筐体２内部で固定する。
ここで、導電性フォーム４５の一面と接触する操作パネル２２は、導電性を有する必要がない。何故ならば、導電性フォーム４５の他面と固定部材５５とが接触するためである。
このように、導電性フォーム４５を取り付ける際に、導電性を有する両面接着テープ、ネジ、固定補助部材等が不要であるため、導電性フォーム４５の取り付けが容易且つ安価である。
【００９２】
その他、実施の形態１〜４に対応する部分には同一符号を付してそれらの説明を省略する。
【００９３】
以上のような静電気回避構造１５においても、帯電体の静電気は導電性フォーム４５，４１２に対して放電され、固定部材５５，５１２を介してアースされるため、制御基板３に実装されているＩＣ３０、ディップスイッチ３１，３１，…等の電子部品が、静電気から保護される。
【００９４】
実施の形態  ６．
図１２は、本発明の実施の形態６に係る静電気回避構造が備える導電性フォーム４６と固定部材５６１との接続の手順を説明する斜視図であり、図１３は、導電性フォーム４６と固定部材５６１との接続状態を示す側面図である。
本実施の形態における静電気回避構造は、実施の形態１の静電気回避構造１１と略同様であり、本実施の形態の導電性フォーム４６，４６及び固定部材５６１，５６１は、実施の形態１の導電性フォーム４１１，４１２及び固定部材５１１，５１２に対応する。
【００９５】
ただし、実施の形態１の静電気回避構造１１においては、導電性フォーム４１１と固定部材５１１とを両面接着テープ６１で接着していたが、本実施の形態においては、固定部材５６１が、固定部材５６１に一体に形成されている挟持部５６ａを有し、この挟持部５６ａに、導電性フォーム４６が挟持されている。
固定部材５６１に一体に形成されている挟持部５６ａは導電性を有し、また、挟持部５６ａは側面視Ｕ字状であって、挟持部５６ａの厚みは、挟持部５６ａが可撓性を有する厚みである。
【００９６】
導電性フォーム４６を固定部材５６１に取り付ける作業者は、挟持部５６ａのＵ字を外側に押し開くようにして、挟持部５６ａのＵ字の内部に導電性フォーム４６を挿入する。このとき、挟持部５６ａの弾性復元力によって、導電性フォーム４６が厚み方向に圧縮されて挟持部５６ａに挟持され、挟持部５６ａを介して、導電性フォーム４６と固定部材５６１とが電気的に確実に接続される。
このように、導電性フォーム４６を取り付ける際に、導電性を有する両面接着テープ、ネジ、固定補助部材等が不要であるため、導電性フォーム４６の取り付けが容易且つ安価である。
【００９７】
また、図１２に示すように、挟持部５６ａは、固定部材５６１の一辺に沿って連続的に形成されているが、このような形状に限るものではない。
図１４は、固定部材５６２の他の構成を示す斜視図である。
固定部材５６２は、固定部材５６１に対応するが、挟持部５６ａの代わりに、複数の挟持部５６ｂ，５６ｂ，…が、固定部材５６２の一辺に沿って複数並設されている。挟持部５６ｂ，５６ｂ，…は挟持部５６ａと同様の機能を有する。このため、本実施の形態の静電気回避構造は、固定部材５６１の代わりに固定部材５６２が備えられていてもよい。
【００９８】
その他、実施の形態１〜５に対応する部分には同一符号を付してそれらの説明を省略する。
【００９９】
以上のような静電気回避構造においても、帯電体の静電気は導電性フォーム４６，４６に対して放電され、固定部材５６１，５６１（又は固定部材５６２，５６２）を介してアースされるため、制御基板３に実装されているＩＣ３０、ディップスイッチ３１，３１，…等の電子部品が、静電気から保護される。
【０１００】
実施の形態  ７．
図１５は、本発明の実施の形態７に係る静電気回避構造が備える導電性フォーム４７と固定部材５７との接続の手順を説明する正面図であり、図１６は、導電性フォーム４７と固定部材５７との接続状態を示す正面図である。
る。
本実施の形態における静電気回避構造は、実施の形態１の静電気回避構造１１と略同様であり、本実施の形態の導電性フォーム４７，４７及び固定部材５７，５７は、実施の形態１の導電性フォーム４１１，４１２及び固定部材５１１，５１２に対応する。
【０１０１】
ただし、実施の形態１の静電気回避構造１１においては、導電性フォーム４１１と固定部材５１１とを、導電性を有する両面接着テープ６１で接着していたが、本実施の形態においては、導電性フォーム４７と固定部材５７の平板状部分とが、非導電性を有する接着剤６７，６７，…で接着されている。
【０１０２】
導電性フォーム４７の一面には、複数の凹部４７ａ，４７ａ，…が形成されている。
導電性フォーム４７を固定部材５７に取り付ける作業者は、図１５に示すように、凹部４７ａ，４７ａ，…内面夫々に接着剤６７，６７，…を塗布し、凹部４７ａ，４７ａ，…が形成されている一面を固定部材５７に対面させて、導電性フォーム４７を固定部材５７の一面に押し付け、凹部４７ａ，４７ａ，…内面夫々と固定部材５７の一面とを接合（この場合は接着）する。
【０１０３】
導電性フォーム４７に関し、隣り合う凹部４７ａ，４７ａ間には凸部４７ｂ，４７ｂ，…が配されているため、凹部４７ａ，４７ａ，…内面夫々と固定部材５７とが接着剤６７，６７，…によって接着することによって、図１６に示すように、導電性フォーム４７の凸部４７ｂ，４７ｂ，…が厚み方向に変形及び圧縮されて固定部材５７に押し付けられる。この結果、非導電性の接着剤６７，６７，…で接着しても、導電性フォーム４７と固定部材５７とが電気的に確実に接続される。
このように、導電性フォーム４７を取り付ける際に、導電性を有する両面接着テープ、ネジ、固定補助部材等が不要であるため、導電性フォーム４７の取り付けが容易且つ安価である。
【０１０４】
その他、実施の形態１〜６に対応する部分には同一符号を付してそれらの説明を省略する。
【０１０５】
以上のような静電気回避構造においても、帯電体の静電気は導電性フォーム４７，４７に対して放電され、固定部材５７，５７を介してアースされるため、制御基板３に実装されているＩＣ３０、ディップスイッチ３１，３１，…等の電子部品が、静電気から保護される。
【０１０６】
実施の形態  ８．
図１７は、本発明の実施の形態８に係る静電気回避構造が備える導電性フォーム４８と固定部材５８との接続状態を示す正面図である。
本実施の形態における静電気回避構造は、実施の形態７の静電気回避構造と略同様であり、本実施の形態の導電性フォーム４８及び固定部材５８は、実施の形態７の導電性フォーム４７及び固定部材５７に対応する。
ただし、実施の形態７の静電気回避構造においては、導電性フォーム４７に凹部４７ａ，４７ａ，…が形成してあったが、本実施の形態においては、固定部材５８の少なくとも一部が矩形波状に形成されることによって、複数の凹部５８ａ，５８ａ，…が形成されている。
【０１０７】
導電性フォーム４８を固定部材５８に取り付ける作業者は、凹部５８ａ，５８ａ，…内面夫々に非導電性の接着剤６８，６８，…を塗布し、凹部５８ａ，５８ａ，…が形成されている固定部材５８に導電性フォーム４８を対面させて、導電性フォーム４８を固定部材５８に押し付け、凹部５８ａ，５８ａ，…内面夫々と導電性フォーム４８とを接合（この場合は接着）する。
【０１０８】
固定部材５８に関し、隣り合う凹部５８ａ，５８ａ間には凸部５８ｂ，５８ｂ，…が配されているため、凹部５８ａ，５８ａ，…内面夫々と導電性フォーム４８とが接着することによって、導電性フォーム４８が撓んで、凸部５８ｂ，５８ｂ，…に押し付けられる。この結果、非導電性の接着剤６８，６８，…で接着しても、導電性フォーム４８と固定部材５８とが電気的に確実に接続される。
このように、導電性フォーム４８を取り付ける際に、導電性を有する両面接着テープ、ネジ、固定補助部材等が不要であるため、導電性フォーム４８の取り付けが容易且つ安価である。
【０１０９】
その他、実施の形態１〜７に対応する部分には同一符号を付してそれらの説明を省略する。
【０１１０】
以上のような静電気回避構造においても、帯電体の静電気は導電性フォーム４８，４８に対して放電され、固定部材５８，５８を介してアースされるため、制御基板３に実装されているＩＣ３０、ディップスイッチ３１，３１，…等の電子部品が、静電気から保護される。
【０１１１】
実施の形態  ９．
図１８は、本発明の実施の形態９に係る静電気回避構造が備える導電性フォーム４９と固定部材５９との接続状態を示す正面図であり、図１９は、導電性フォーム４９の形状を示す斜視図である。
本実施の形態における静電気回避構造は、実施の形態１の静電気回避構造１１と略同様であり、本実施の形態の導電性フォーム４９，４９及び固定部材５９，５９は、実施の形態１の導電性フォーム４１１，４１２及び固定部材５１１，５１２に対応する。
【０１１２】
ただし、実施の形態１の静電気回避構造１１においては、導電性フォーム４１１と固定部材５１１とを、導電性を有する両面接着テープ６１で接着していたが、本実施の形態においては、導電性フォーム４９と固定部材５９の平板状部分とが、非導電性の片面接着テープ６９で接合されている。
矩形板状の導電性フォーム４９の一辺部には、導電性フォーム４９の一面（以下、表面という）からこの一面の反対面（以下、裏面という）まで貫通した複数の矩形状の切り欠き状部分４９ａ，４９ａ，…が形成されている。このため、切り欠き状部分４９ａ，４９ａ間には突出部４９ｂ，４９ｂ，…が配されている。
【０１１３】
導電性フォーム４９を固定部材５９に取り付ける作業者は、導電性フォーム４９の裏面を固定部材５９に接触させ、導電性フォーム４９の一辺部に沿って、片面接着テープ６９を接着する。このとき、作業者は片面接着テープ６９を、突出部４９ｂ，４９ｂ，…夫々の表面と、突出部４９ｂ，４９ｂ，…夫々に隣り合う切り欠き状部分４９ａ，４９ａ，…を介して露出する固定部材５９とに連続して接着させる。
即ち、片面接着テープ６９によって、導電性フォーム４９の複数の突出部４９ｂ，４９ｂ，…が表面側から固定部材５９に押し付けられるため、非導電性の片面接着テープ６９で接着しても、導電性フォーム４９と固定部材５９とが電気的に確実に接続される。
【０１１４】
このように、導電性フォーム４９を取り付ける際に、導電性を有する両面接着テープ、ネジ、固定補助部材等が不要であるため、導電性フォーム４９の取り付けが容易且つ安価である。
その他、実施の形態１〜８に対応する部分には同一符号を付してそれらの説明を省略する。
【０１１５】
以上のような静電気回避構造においても、帯電体の静電気は導電性フォーム４９，４９に対して放電され、固定部材５９，５９を介してアースされるため、制御基板３に実装されているＩＣ３０、ディップスイッチ３１，３１，…等の電子部品が、静電気から保護される。
なお、切り欠き状部分４９ａ，４９ａ，…の代わりに、複数の孔を形成してもよい。この場合も、導電性フォーム４９の孔と孔との間に配された凸状部分が、片面接着テープによって、導電性フォーム４９の表面側から固定部材５９に押し付けられる。
【図面の簡単な説明】
【０１１６】
【図１】本発明の実施の形態１に係る静電気回避構造を備える空気調和機の静電気回避構造近傍を示す正面図である。
【図２】本発明の実施の形態１に係る静電気回避構造の構成を示す側面図である。
【図３】本発明の実施の形態１に係る静電気回避構造が備える導電性フォームと固定部材との接続状態を示す側面図である。
【図４】本発明の実施の形態２に係る静電気回避構造の構成を示す側面図である。
【図５】本発明の実施の形態２に係る静電気回避構造近傍の構成を示す斜視図である。
【図６】本発明の実施の形態２に係る静電気回避構造が備える導電性フォームと固定部材との接続状態を示す平面図である。
【図７】本発明の実施の形態２に係る静電気回避構造が備える導電性フォームと固定部材との接続状態を示す側面図である。
【図８】本発明の実施の形態３に係る静電気回避構造が備える導電性フォームと固定部材との接続状態を示す平面図である。
【図９】本発明の実施の形態３に係る静電気回避構造が備える導電性フォームと固定部材との接続状態を示す側面図である。
【図１０】本発明の実施の形態４に係る静電気回避構造の構成を示す側面図である。
【図１１】本発明の実施の形態５に係る静電気回避構造の構成を示す側面図である。
【図１２】本発明の実施の形態６に係る静電気回避構造が備える導電性フォームと固定部材との接続の手順を説明する斜視図である。
【図１３】本発明の実施の形態６に係る静電気回避構造が備える導電性フォームと固定部材との接続状態を示す側面図である。
【図１４】本発明の実施の形態６に係る静電気回避構造が備える固定部材の他の構成を示す斜視図である。
【図１５】本発明の実施の形態７に係る静電気回避構造が備える導電性フォームと固定部材との接続の手順を説明する正面図である。
【図１６】本発明の実施の形態７に係る静電気回避構造が備える導電性フォームと固定部材との接続状態を示す正面図である。
【図１７】本発明の実施の形態８に係る静電気回避構造が備える導電性フォームと固定部材との接続状態を示す正面図である。
【図１８】本発明の実施の形態９に係る静電気回避構造が備える導電性フォームと固定部材との接続状態を示す正面図である。
【図１９】本発明の実施の形態９に係る静電気回避構造が備える導電性フォームの形状を示す斜視図である。
【符号の説明】
【０１１７】
１１，１２，１４，１５  静電気回避構造
２    筐体
２１  開口
２２  操作パネル
３    制御基板（プリント基板）
３０  ＩＣ（電子部品）
３１  ディップスイッチ（電子部品）
４１１，４１２，４２１，４２２  導電性フォーム（導電性弾性体，導電性発泡体）
４３，４４１，４４２，４５，４６，４７，４８，４９  導電性フォーム
４７ａ，５８ａ  凹部
４９ａ  切り欠き状部分
５１１，５１２，５２１，５２２，５３  固定部材（導電性固定部材）
５４１，５４２，５５，５６１，５６２，５７，５８，５９  固定部材
５６ａ，５６ｂ  挟持部
６１  両面接着テープ（導電性を有する接着テープ）
６２，６３１  ネジ
６３２  固定補助部材（導電性固定補助部材）
６４１，６４２  クッション材（弾性部材）
６９  片面接着テープ（接着テープ）
Ｅ    エアコン（空気調和機）
【図１】
2008145086.tif 000003
【図２】
2008145086.tif 000004
【図３】
2008145086.tif 000005
【図４】
2008145086.tif 000006
【図５】
2008145086.tif 000007
【図６】
2008145086.tif 000008
【図７】
2008145086.tif 000009
【図８】
2008145086.tif 000010
【図９】
2008145086.tif 000011
【図１０】
2008145086.tif 000012
【図１１】
2008145086.tif 000013
【図１２】
2008145086.tif 000014
【図１３】
2008145086.tif 000015
【図１４】
2008145086.tif 000016
【図１５】
2008145086.tif 000017
【図１６】
2008145086.tif 000018
【図１７】
2008145086.tif 000019
【図１８】
2008145086.tif 000020
【図１９】
2008145086.tif 000021